(57)【要約】【課題】  通常のイヤリングに適用でき、イヤリング本来の機能を阻害せずに脱落防止すること。【解決手段】  この脱落防止具１００は、イヤリングに取り付ける狭持片１と、狭持片１に回転可能に連結した弓なりに成形されたワイヤ部２と、ワイヤ部２の先端に形成した引っ掛け部である玉部材３とから構成される。狭持片１はイヤリング５０のネジ頭５４、皿５５を露出した状態で取り付けられる。このため、ネジ頭５４を回転し、皿５５により耳垂を挟みイヤリングを装着できる。このため、通常のイヤリング５０に適用できるし、皿５５によりイヤリング５０を挟むことができるのでイヤリング本来の機能を阻害することがない。【選択図】  図１
0003173339.tif 000002
【実用新案登録請求の範囲】
【請求項１】
ワイヤ状の弾力性の高い樹脂により構成され且つ耳の裏側の形状に沿って弓なりに形成されたワイヤ部と、
ワイヤ部の一端に回転可能に設けられ且つイヤリングのネジ頭及び皿を露出した状態で当該イヤリングのネジ部又はナット部を狭持する狭持片と、
ワイヤ部の他端に設けた耳に引っ掛ける引っ掛け部と、
を備えたことを特徴とするイヤリングの脱落防止具。
【請求項２】
ワイヤ状の弾力性の高い樹脂により構成され且つ耳の裏側の形状に沿って弓なりに形成されたワイヤ部と、
ワイヤ部の一端に回転可能に設けられ且つイヤリングのカンを狭持する狭持片と、
ワイヤ部の他端に設けた耳に引っ掛ける引っ掛け部と、
を備えたことを特徴とするイヤリングの脱落防止具。
【請求項３】
前記ワイヤ部のうち、耳の直線状部分に対応する位置に直線部を設けたことを特徴とする請求項１又は２に記載のイヤリングの脱落防止具。
【請求項４】
ワイヤ部の一端が前記狭持片の受け穴を貫通して取り付けられ且つ当該受け穴はワイヤ部一端に抜け止めを形成することでワイヤ部が抜けない寸法であることを特徴とする請求項１〜３のいずれか一つに記載のイヤリングの脱落防止具。
【考案の詳細な説明】
【技術分野】
【０００１】
本考案は、耳に装着したイヤリングが使用中に脱落しないようにするためのイヤリングの脱落防止具に関するものである。
【背景技術】
【０００２】
従来から特許文献１に記載されているようなイヤリングの落下防止装置が知られている。この落下防止装置は、耳の上部に引っ掛けるフック部と、フック部から下方に伸びる弓なりとなったワイヤ部と、ワイヤ部の下端に設けたイヤリングを取り付ける結合部とを備える。
【０００３】
使用にあたっては、まず前記結合部に所望のイヤリングを装着しておく。そして、前記フック部を耳の上部端部にひっかけ、ワイヤ部を耳の裏側に沿わせ、結合部を耳の下部端部から正面に出すと共に当該下部端部に引っ掛ける。これにより、イヤリングが耳に固定され、当該イヤリングの落下が防止される。
【先行技術文献】
【特許文献】
【０００４】
【特許文献１】再公表特許  ＷＯ９７／２４９４６
【考案の概要】
【考案が解決しようとする課題】
【０００５】
しかしながら、上記従来のイヤリングの落下防止装置は、結合部に取り付けることができるイヤリングは当該落下防止装置の専用品となってしまい、通常のイヤリングに適用できないという問題点がある。また、上記特許文献１には、前記フック部に細い鎖状部材を設け、その先端にカンを設け、当該カンによりイヤリングをぶら下げる構成が開示されているが、この構成だとイヤリングを耳垂に付けるという本来の使用方法ができない上、鎖状部材が耳にフィットしないので実質的には前記フック部のみで耳に固定されることになる。このため、落下防止効果が低くなるという問題点がある。
【課題を解決するための手段】
【０００６】
そこで、本考案のイヤリングの脱落防止具は、ワイヤ状の弾力性の高い樹脂により構成され且つ耳の裏側の形状に沿って弓なりに形成されたワイヤ部と、ワイヤ部の一端に回転可能に設けられ且つイヤリングのネジ頭及び皿を露出した状態で当該イヤリングのネジ部又はナット部を狭持する狭持片と、ワイヤ部の他端に設けた耳に引っ掛ける引っ掛け部とを備えたことを特徴とする。
【０００７】
また、本考案のイヤリングの脱落防止具は、ワイヤ状の弾力性の高い樹脂により構成され且つ耳の裏側の形状に沿って弓なりに形成されたワイヤ部と、ワイヤ部の一端に回転可能に設けられ且つイヤリングのカンを狭持する狭持片と、ワイヤ部の他端に設けた耳に引っ掛ける引っ掛け部とを備えたことを特徴とする。
【０００８】
また、本考案のイヤリングの脱落防止具は、上記考案において、前記ワイヤ部のうち、耳の直線状部分に対応する位置に直線部を設けたことを特徴とする。
【０００９】
また、本考案のイヤリングの脱落防止具は、上記考案において、ワイヤ部の一端が前記狭持片の受け穴を貫通して取り付けられ且つ当該受け穴はワイヤ部一端に抜け止めを形成することでワイヤ部が抜けない寸法であることを特徴とする。
【図面の簡単な説明】
【００１０】
【図１】この考案のイヤリングの脱落防止具を示す構成図である。
【図２】脱落防止具の狭持片１を示す４面図である。
【図３】図１に示した脱落防止具の組立図である。
【図４】脱落防止具をイヤリングに取り付ける状態を示す説明図である。
【図５】脱落防止具をイヤリングと共に耳に装着した状態を示す説明図である。
【図６】この考案の実施の形態２に係る脱落防止具を示す構成図である。
【図７】図６に示した脱落防止具の側面図である。
【図８】この脱落防止具をイヤリングに装着した状態を示す説明図である。
【図９】この考案の実施の形態３に係る脱落防止具を示す構成図である。
【図１０】図９に示した脱落防止具の側面図である。
【図１１】この脱落防止具をイヤリングに装着した状態を示す説明図である。
【考案を実施するための形態】
【００１１】
図１は、この考案のイヤリングの脱落防止具を示す構成図である。図２は、脱落防止具の狭持片１を示す４面図であり、（ａ）は正面図、（ｂ）は上面図、（ｃ）は側面図、（ｄ）は下面図である。図３は、図１に示した脱落防止具の組立図である。この脱落防止具１００は、イヤリングに取り付ける狭持片１と、狭持片１に回転可能に連結した弓なりに成形されたワイヤ部２と、ワイヤ部２の先端に形成した引っ掛け部である玉部材３とから構成される。
【００１２】
狭持片１は、図２に示すように、略卵形の本体１１の横方向に貫通した穴１２が設けられている。この穴１２は、イヤリング５０のナット部５２が嵌る寸法とする。また、狭持片１には、前記ナット部５２を前記穴１２に嵌め込むための溝１４が設けられている。溝１４は、前記穴１２に連通する。また、当該溝１４の幅は前記ナット部５２の直径より若干小さくし、本体１１の弾性変形によりナット部５２を穴１２に嵌め込んだときに当該ナット部５２が狭持片１から外れないようにする。
【００１３】
溝１４の中央付近には、幅が大きく形成された大溝１５（又は大穴）が設けられている。また、大溝１５を形成することで、前記ナット部５２が通りやすくなる。また、図４に示すように、大きいサイズのＵ字金具５３ａを有するイヤリング５０の場合でも当該Ｕ字金具５３ａを大溝１５内で保持できる。このように、溝１４の中央付近に大溝１５を設けることで、Ｕ字金具５３，５３ａの寸法が異なる場合でも、イヤリング５０への取り付けに支障がでない。
【００１４】
また、本体１１の前記溝１４の反対側には受け穴１６が設けられている。この受け穴１６は、前記ワイヤ部２が貫通する穴であって、当該受け穴１６の端部内側１７は球状に成形されている。狭持片１は、例えばポリプロピレン等の樹脂又は金属製である。
【００１５】
ワイヤ部２は、全体として弓なりに成形されている。また、耳の裏の上部は直線状になっていることから、ワイヤ部２の一部には前記直線状部分にフィットする直線部２１が設けられている。また、ワイヤ部２は、例えば透明で高い弾性力を有するポリエチレン、ポリフッ化ビニリデン等からなり、加熱により所定形状に成形される。
【００１６】
また、ワイヤ部２の一端を、図３（ａ）に示すように、前記受け穴１６に挿通し、大溝１５からその一端を出して先端を加熱し、図３（ｂ）に示すように球状に成形する或いは図３（ｃ）に示すように球状のパーツを先端に接着することで抜け止め２２を形成する。これにより、狭持片１に対してワイヤ部２が連結され、且つ、受け穴１６を回転軸としてワイヤ部２と狭持片１とが相対回転するようになる。ワイヤ部２の前記一端は球状になっているので、ワイヤ部２が狭持片１から抜けることがない。ワイヤ部２の一端は長めに設けられており、このワイヤ部２の一端を所定長さに切断して前記抜け止め２２を形成することでワイヤ部２の全体の長さを自在に設定できる。
【００１７】
また、ユーザ自身が、前記ワイヤ部２の一端を自身の耳の大きさに合うように所定長さに切断するようにしても良い。その場合、上記のように端部を球状とするのはユーザ自身が行う。また、ワイヤ部２の一端の長さは、あらゆるユーザの耳の大きさに適合するように、長めにしておく。端部の抜け止め２２は、図３（ｂ）（ｃ）に示したように、加熱して丸めたり球状の部材を接着したりすることで形成する。また、抜け止め２２は、ペンチ等で潰してその最大径を前記受け穴１６より大きくすることで、球状の部材と同様の機能を持たせるようにしても良い。
【００１８】
前記玉部材３は、ワイヤ部２の他端にワイヤ部２と一体成形しても良いし、他の部品としてワイヤ部２の他端に取り付けても良い。玉部材３は、耳に引っ掛けた際に耳の裏面から正面に出て耳輪に係止するような位置に設ける。なお、ワイヤ部２の他端が耳に対して上手く引っ掛かる形状（引っ掛け部）にすれば、当該玉部材３は省略しても良い。また、玉部材３に代えてフック状の引っ掛け部を形成しても良い。
【００１９】
次に、この脱落防止具の使用方法を説明する。図４は、脱落防止具をイヤリングに取り付ける状態を示す説明図である。図５は、脱落防止具をイヤリングと共に耳に装着した状態を示す説明図であり、（ａ）は耳の側面、（ｂ）は裏面を示す。この脱落防止具１００では、前記狭持片１の溝１４及び大溝１５にイヤリング５０のＵ字金具５３のナット部５２を差し込む。すると、狭持片１の本体１１が弾性変形して少し広がり、ナット部５２が溝１４に入り、Ｕ字金具５３が大溝１５に入り、前記ナット部５２が穴１２に嵌った状態で固定される。
【００２０】
この状態で、ネジ部端部のネジ頭５４を回転させることでネジ部５１の反対側の皿５５が移動して耳垂Ｅ１を挟む。即ち、狭持片１は、ネジ部５１の皿５５とネジ頭５４を外部に露出してこれらが回転かつ移動可能なようにナット部５２を狭持するので、皿５５で耳垂を挟んで固定するというイヤリング５０の本来の機能を阻害しない。
【００２１】
そして、図５に示すように、イヤリング５０のＵ字金具５３を耳垂Ｅ１に差し込み、ネジ頭５４を回して皿５５で耳垂Ｅ１を挟み込む。これと共に、脱落防止具１００のワイヤ部２を耳Ｅの後に沿わせ先端の玉部材３を耳Ｅの上部端部に引っ掛ける。ワイヤ部２の直線部２１は耳Ｅの裏側の直線部分にフィットする。また、ワイヤ部２はポリエチレン等の高い弾性力を有する素材で形成されているので、耳Ｅに沿って簡単かつ快適に引っ掛けることができる。また、イヤリング５０にワイヤ部２を狭持片１を介して直接取り付けて固定するので、イヤリング５０が耳Ｅに対してしっかりと固定される。
【００２２】
更に、この脱落防止具１００は、イヤリング５０に取り付けた状態でワイヤ部２と狭持片１とを相対回転可能である。このため、イヤリング５０の耳垂Ｅ１に対する取り付け方向と、ワイヤ部２の耳Ｅへの引っ掛け方向が異なる場合でも、ワイヤ部２が回転してこれを吸収するので、ワイヤ部２に無理な変形が加わることがなく、耳Ｅに確実に係止できるようになる。また、ワイヤ部２が透明であり目立たないので、イヤリングが際立つ。なお、Ｕ字金具５３は、ネジバネ式のものでも良い。
【００２３】
以上、この考案のイヤリングの脱落防止具１００によれば、通常のイヤリングの脱落防止に用いることができるので、汎用性が高い。また、皿で耳垂を挟んで固定するという本来の機能を阻害することなく、脱落防止の効果が得られる。更に、ワイヤ部２が耳にフィットするのでイヤリング５０が脱落し難い。
【００２４】
（実施の形態２）
図６は、この考案の実施の形態２に係る脱落防止具を示す構成図である。図７は、図６に示した脱落防止具の側面図であり、図８は、この脱落防止具をイヤリングに装着した状態を示す説明図である。この脱落防止具２００は、卵形の狭持片２０１の本体２１１の横方向に溝２１２が形成され且つこの溝２１２の内側に球面状の突起２１３を対向して設けた構成である。狭持片１の材料は実施の形態１と同様である。また、ワイヤ部２は、上記実施の形態１と同様に狭持片１に対して回転可能に取り付けられている。この脱落防止具２００を取り付ける対象は、ナット部５６が筒状ではなく、Ｕ字金具５３の端部を円環状に折り曲げ、この部分にネジを切った構造のイヤリング６０である。
【００２５】
この脱落防止具２００では、図８に示すように、溝２１２に円環状のナット部５６を挿入し、ナット部５６の円環内に前記突起２１３が嵌り込んで当該狭持片１によりイヤリング６０を固定する。前記突起２１３は球面状になっているので、ナット部５６を溝２１２に嵌める際、狭持片１が弾性変形しつつ滑らかに嵌り込む。また、外す際にも狭持片１が弾性変形して滑らかに外すことができる。また、狭持片１は、ネジ部５６の皿５５とネジ頭５４を外部に露出してこれらが回転かつ移動可能なように狭持できるので、皿５５で耳垂を挟んで固定するというイヤリング５０の本来の機能を阻害しない。
【００２６】
上記構成の脱落防止具２００によっても、実施の形態１と同様の効果が得られる。
【００２７】
（実施の形態３）
図９は、この考案の実施の形態３に係る脱落防止具を示す構成図である。図１０は、図９に示した脱落防止具の側面図であり、図１１は、この脱落防止具をイヤリングに装着した状態を示す説明図である。この脱落防止具３００は、しゃもじ形の狭持片３０１の本体３１１の横方向に溝３１２が形成され且つこの溝３１２の内側に球面状の突起３１３を対向して設けた構成である。狭持片１の材料は実施の形態１と同様である。また、ワイヤ部２は、上記実施の形態１と同様に狭持片１に対して回転可能に取り付けられている。この脱落防止具３００を取り付ける対象は、オメガ７１を有するイヤリング７０である。オメガ７１には、様々なデザインのイヤリング本体７３が回転軸７２を介して回転可能に設けられている。なお、オメガ７１は回転軸７２を中心に回転してイヤリング本体７３との間で耳垂を挟む。
【００２８】
この脱落防止具３００では、図１１に示すように、溝３１２にオメガ７１を挿入し、オメガ７１の円環内に前記突起３１３が嵌り込んで当該狭持片１によりイヤリング７０を固定する。前記突起３１３は球面状になっているので、オメガ７１を溝３１２に嵌める際、狭持片１が弾性変形しつつ滑らかに嵌り込む。また、外す際にも狭持片１が弾性変形して滑らかに外すことができる。係る構成の脱落防止具３００によっても、実施の形態１と同様の効果が得られる。
【符号の説明】
【００２９】
１００  脱落防止具
１  狭持片
２  ワイヤ部
３  玉部材
１１  本体
１２  穴
１４  溝
１５  大溝
１６  受け穴
２１  直線部
２２  抜け止め
【図１】
0003173339.tif 000003
【図２】
0003173339.tif 000004
【図３】
0003173339.tif 000005
【図４】
0003173339.tif 000006
【図５】
0003173339.tif 000007
【図６】
0003173339.tif 000008
【図７】
0003173339.tif 000009
【図８】
0003173339.tif 000010
【図９】
0003173339.tif 000011
【図１０】
0003173339.tif 000012
【図１１】
0003173339.tif 000013